(57)【特許請求の範囲】
【請求項１】
モータと、前記モータを収容するハウジングと、前記モータの駆動力を伝達して先端工具を回転させる動力伝達機構と、前記モータの回転をオン又はオフするスイッチを有する電動工具において、
前記スイッチを、揺動式レバーを有するスナップスイッチで構成し、前記揺動式レバーが前記ハウジングの内部に収容されるように前記スイッチを配置し、
前記ハウジングの表面に対して略鉛直方向に移動可能なスイッチレバーと、
前記揺動式レバーを貫通させる穴を有し前記スイッチレバーと連動して移動することにより前記スナップスイッチをオンまたはオフさせる押棒手段と、
前記押棒手段を前記スイッチがオフになる方向に付勢する付勢手段を設けたことを特徴とする電動工具。
【請求項２】
前記スイッチをオンにする方向への前記スイッチレバーの移動を制限するオフロック手段を設けたことを特徴とする請求項１に記載の電動工具。
【請求項３】
前記オフロック手段は、前記スイッチレバーに設けられたスライド部材を含み、その移動方向が前記押棒の移動方向と略垂直となることを特徴とする請求項２に記載の電動工具。
【請求項４】
前記スイッチレバーには、前記スライド部材を初期位置に戻すための第２の付勢手段が設けられることを特徴とする請求項３に記載の電動工具。
【請求項５】
前記スイッチレバーに、前記オフロック手段のスライド部材を解除状態位置に移動させた際に前記ハウジング内部と外気を連通させる穴を設けたことを特徴とする請求項４に記載の電動工具。
【請求項６】
前記ハウジングは長筒状であり、前記スイッチレバーは前記ハウジングの長手方向と平行に配置される長板状のレバーであり、
前記押棒手段は、その長手方向が前記スイッチレバーの移動方向と一致するように配置されることを特徴とする請求項１から５のいずれか一項に記載の電動工具。
【請求項７】
前記スイッチレバーを移動させて、前記スイッチをオン状態にした際に、前記押棒手段の移動位置を保持させるオンロック手段を設けたことを特徴とする請求項１から６のいずれか一項に記載の電動工具。
【請求項８】
前記スイッチレバーは、揺動支点を一端側に設け前記押棒手段との係合部を他端側に設け、前記スイッチレバーを揺動支点を中心に微少距離だけ回転させることを特徴とする請求項１から７のいずれか一項に記載の電動工具。
【請求項９】
モータと、
前記モータを収容するハウジングと、
前記ハウジングの前部に接続されるギヤカバーと、
前記ギヤカバーより突出し、前記モータにより回転駆動され、先端工具を保持可能なスピンドルと、
前記ハウジングに収容され、前記モータの後部に設けられるスイッチと、
前端を前記ハウジングに支持され、前記前端を回動支点として後方側が回動可能であり、前記スイッチを操作可能なスイッチレバーと、を有し、
前記スイッチレバーには、第１の位置で前記ハウジングと接触することによって前記スイッチレバーの操作を阻止し、第２の位置で前記ハウジングと接触しないことによって前記スイッチレバーの操作を可能とするオフロックレバーが設けられており、
前記第１の位置は、前記第２の位置よりも後方になるようにしたことを特徴とする電動工具。
【発明の詳細な説明】
【技術分野】
【０００１】
本発明は、握り部に設けられたスイッチレバーを握ることによってモータのオン及びオフの制御をする電動工具に関し、特に、スイッチ機構を改良した電動工具に関する。
【背景技術】
【０００２】
携帯型の電動工具の例として、特許文献１に記載のようにディスクグラインダが知られている。図１３は従来のディスクグラインダの全体構造を示す断面図である。ディスクグラインダ１０１は、駆動源であるモータ１０６を収容する円筒形のモータハウジング１０２を有する。モータハウジング１０２の後方には、左右分割式のテールカバー１０３が設けられ、テールカバー１０３から外部に電源コード１１７が接続される。モータハウジング１０２の前方にはモータの回転軸による動力伝達方向を約９０度変換する２組の傘歯車１０８、１０９を含んで構成される動力伝達機構を収容するギヤカバー１０４が設けられる。傘歯車１０９に接続され、ギヤカバー１０４から下方に突出するスピンドル１１０には、砥石１０５が取り付けられる。
【０００３】
テールカバー１０３の下方には、モータ１０６をＯＮ／ＯＦＦするスイッチ機構が設けられる。スイッチ機構は、スイッチ１１５と、スイッチ１１５のプランジャ１１５ａを押すためのスイッチレバー１２１と、スイッチレバー１２１を一定の状態で保持するためのオフロックレバー１２３を含んで構成される。スイッチレバー１２１は、回動軸１２５を中心に微少角度だけ揺動可能であり、作業者がスイッチレバー１２１と共にテールカバー１０３部を握ることによりスイッチレバー１２１は図中矢印１３１の方向に揺動する。スイッチレバー１２１が揺動すると、スイッチレバー１２１と一体に設けられ、プランジャ１１５ａと対向する押棒部１２１ａがプランジャ１１５ａを押すことによりスイッチ１１５がオン状態となる。モータ１０６の回転をオフにするには、作業者はスイッチレバー１２１を離すことによりバネ１２６の作用によりスイッチレバー１２１は元の位置（図１３に示す位置）に戻る。
【０００４】
近年、電動工具に関する国際的な規格によって、スイッチレバー１２１を単に握っただけでモータ１０６が回転しないように、何らかのアクションをしないとスイッチレバー１２１を握れないような安全対策が要求されている。そのため、ディスクグラインダ１０１では、スイッチレバー１２１のほぼ中央付近に前後にスライド可能なオフロックレバー１２３を設けて、このオフロックレバー１２３を矢印１３２の方向（前方）にスライドさせた状態でないとスイッチレバー１２１が矢印１３１に移動させることができないようにしている。このため、オフロックレバー１２３には突出部１２３ａ（図１４参照）が設けられ、テールカバー１０３の対面する部分には、リブ１３３が設けられる。作業者がスイッチレバー１２１を触っていない状態では、オフロックレバー１２３はバネ１２４の作用により後方（矢印１３２とは反対方向）に位置しており、この際には突出部１２３ａがリブ１３３に乗り上げているため、スイッチレバー１２１を矢印１３１の方向に移動させることはできない。
【０００５】
作業者はスイッチレバー１２１を握る場合は、まずオフロックレバー１２３を矢印１３２の方向に移動させ、移動させた状態を保ったままスイッチレバー１２１を握って矢印１３１の方向にスイッチレバー１２１を揺動させる。このスイッチレバー１２１を握った状態を示す図が図１４である。スイッチレバー１２１を握った状態では、スイッチレバー１２１は回動軸１２５を中心に時計回りに揺動し、スイッチレバー１２１がテールカバー１０３の下面に接する。この際オフロックレバー１２３は、バネ１２４を圧縮させながら前方に移動させられているため突出部１２３ａとリブ１３３の当接状態は解除される。このように、オフロックレバー１２３をスライドさせることで回動軸１２５を中心に揺動可能となり、押棒部１２１ａがプランジャ１１５ａを押し込むことによりスイッチ１１５をオンさせることができる。
【０００６】
スイッチ１１５をオンさせると、スイッチ１１５を介して交流電力がモータ１０６に供給され、回転子が回転することで砥石１０５を回転させて意図した作業を行なうことができる。この際、モータ１０６の回転軸１０６ａに設けられた冷却ファン１０７が回転し、モータハウジング１０２の内部にモータ１０６の冷却用の空気流を発生させる。スイッチ１１５をオフするためには、作業者はスイッチレバー１２１の把持を解除すれば、バネ１２６の反発力によりスイッチレバー１２１は図１３の状態に戻り、スイッチ１５はオフになる。
【０００７】
以上説明したように、従来のディスクグラインダ１０１ではスイッチレバー１２１にはバネ１２６により常にオフ側にバネ力がかけられており、同様にオフロックレバー１２３もバネ１２４により常にオフ側にバネ力がかけられており、単にスイッチレバー１２１を握ってもテールカバー１０３に設けられたリブ１３３に邪魔されてスイッチ１１５がオンできない構図となっている。そして、オフロックレバー１２３をバネ１２４のバネ力に逆らって前方へスライドさせると、リブ１３３の障害から開放され、スイッチ１１５がオン可能となる。  
【先行技術文献】
【特許文献】
【０００８】
【特許文献１】特開２００５−２４６５４２号公報
【発明の概要】
【発明が解決しようとする課題】
【０００９】
近年、電動工具は作業者の作業効率アップの要請からモータのパワー向上が進む一方、小型軽量化及び低コスト化が求められ、この変化に伴って出願人は様々な電動工具を実現してきた。一方、小型軽量化及び低コスト化を進めつつも、出願人は性能向上と十分な安全性確保を達成するように努力してきた。安全性確保と共にモータの冷却効率の向上も重要な課題であるが、小形軽量化を進めるに当たり、モータ冷却用の空気吸気口の拡大と確保が難しくなってきた。
【００１０】
本発明は上記背景に鑑みてなされたもので、その目的は、モータのオン及びオフを行うスイッチ機構を低コストにて実現できる電動工具を提供することにある。
【００１１】
本発明の他の目的は、モータのオン及びオフを行うスイッチ機構にオフロック機能を設けて安全性を高めた電動工具を提供することにある。
【００１２】
本発明のさらに他の目的は、モータを冷却するための冷却風路構造を改善した電動工具を提供することにある。
【課題を解決するための手段】
【００１３】
本願において開示される発明のうち代表的なものの特徴を説明すれば次の通りである。
【００１４】
本発明の一つの特徴によれば、モータと、モータを収容するハウジングと、モータの駆動力を伝達して先端工具を回転させる動力伝達機構と、モータの回転をオン又はオフするスイッチを有する電動工具において、スイッチを揺動式レバーを有するスナップスイッチで構成し、揺動式レバーがハウジングの内部に収容されるようにスイッチを配置した。そして、ハウジングの表面に対して略鉛直方向に移動可能なスイッチレバーと、揺動式レバーを貫通させる穴を有しスイッチレバーと連動して移動することによりスナップスイッチをオンまたはオフさせる押棒手段と、押棒手段をスイッチがオフになる方向に付勢する付勢手段を設けた。また、スイッチをオンにする方向へのスイッチレバーの移動を制限するオフロック手段を設けた。
【００１５】
本発明の他の特徴によれば、オフロック手段は、スイッチレバーに設けられたスライド部材を含み、その移動方向が押棒の移動方向と略垂直となるようにした。スイッチレバーには、スライド部材を初期位置に戻すための第２の付勢手段が設けられる。さらに、スイッチレバーに、オフロック手段のスライド部材を解除状態位置に移動させた際にハウジング内部と外気を連通させる穴（風窓）を設けた。
【００１６】
本発明のさらに他の特徴によれば、ハウジングは長筒状であり、スイッチレバーはハウジングの長手方向と平行に配置される長板状のレバーであり、押棒手段は、その長手方向がスイッチレバーの移動方向とほぼ一致するように配置した。また、スイッチレバーを移動させて、スイッチをオン状態にした際に、押棒手段の移動位置を保持させるオンロック手段を設けた。スイッチレバーは、揺動支点を一端側に設け押棒手段との係合部を他端側に設け、スイッチレバーを揺動支点を中心に微少距離だけ回転させるようにした。
【発明の効果】
【００１７】
請求項１の発明によれば、スイッチを、揺動式レバーを有するスナップスイッチで構成し、揺動式レバーがハウジングの内部に収容されるようにスイッチを配置したので、プッシュスイッチに比べて安価なスナップスイッチにてスイッチ機構を実現でき、電動工具のコストダウンを図ることができる。また、スナップスイッチの揺動式レバーが完全にハウジングの内部に収容されるので、塵埃にも強くなりスイッチの長寿命化を図ることができる。さらに、スイッチ機構はハウジングの表面に対して略鉛直方向に移動可能なスイッチレバーと、押棒手段と、付勢手段により実現したので、簡単な構造で信頼性が高く、使いやすいスイッチ機構を実現できる。
【００１８】
請求項２の発明によれば、スイッチをオンにする方向へのスイッチレバーの移動を制限するオフロック手段を設けたので、電動工具の停止時に誤ってスイッチレバーに触ってしまったとしても、安易にスイッチがオンにならない安全な電動工具を実現できる。
【００１９】
請求項３の発明によれば、オフロック手段は、スイッチレバーに設けられたスライド部材を含み、その移動方向が押棒の移動方向と略垂直となるので、作業者によってスイッチレバーを押す方向と、オフロック手段を解除する方向が別の方向となるので、誤動作を起こす恐れが少ない電動工具を実現できる。
【００２０】
請求項４の発明によれば、スイッチレバーには、スライド部材を初期位置に戻すための第２の付勢手段が設けられるので、スイッチレバーの解除時には自動的にオフロック手段を作動させることができる。
【００２１】
請求項５の発明によれば、スイッチレバーに、オフロック手段のスライド部材を解除状態位置に移動させた際に開口する穴を設けたので、モータの冷却効率を更に向上させることができる。
【００２２】
請求項６の発明によれば、ハウジングは長筒状であり、スイッチレバーはハウジングの長手方向と平行に配置される長板状のレバーであり、押棒手段は、その長手方向がスイッチレバーの移動方向とほぼ一致するように配置されるので、スイッチレバー部の長さが長く、掴みやすいスイッチ機構を実現できる。
【００２３】
請求項７の発明によれば、スイッチレバーを移動させて、スイッチをオン状態にした際に、押棒手段の移動位置を保持させるオンロック手段を設けたので、連続作業時にスイッチレバーを強く握ったままとする必要が無く、作業者の長時間作業時の疲労を低減することができる。
【００２４】
請求項８の発明によれば、スイッチレバーは揺動支点を一端側に設け、押棒手段との係合部を他端側に設け、スイッチレバーを揺動支点を中心に微少距離だけ回転させるので、複雑な機構を用いることがなく簡単な構造にて、スイッチレバーをハウジングの表面に対して略鉛直方向に移動させることができ、操作性の良いスイッチ機構を実現できる。
【００２６】
請求項９の発明によれば、スイッチレバーの回動支点が前方にあり、オフロックレバーが前方に移動することによりスイッチレバーを操作できるようになるので、作業者が握った際に意図して操作することによってスイッチレバーを操作できるようになる。もしも、スイッチレバーの回動支点が前方にあり、オフロックレバーが後方に移動することによりスイッチレバーを操作できるように構成した場合には、作業者が握った際に意図せず操作してしまう場合があるためである。
【００２９】
本発明の上記及び他の目的ならびに新規な特徴は、以下の明細書の記載及び図面から明らかになるであろう。
【図面の簡単な説明】
【００３０】
【図１】本発明の実施例に係るディスクグラインダ１の全体構成を示す断面図である。
【図２】本発明の実施例に係るディスクグラインダ１の全体構成を示す断面図であり、スイッチレバー２１を握った状態を示す図である。
【図３】図１のスイッチレバー２１を下側から見た部分底面図である（スイッチオフ時)。
【図４】図１のスイッチレバー２１を下側から見た部分底面図である（スイッチオン時)。
【図５】本発明の第２の実施例に係るディスクグラインダ４１の全体構成を示す断面図である。
【図６】図５のテールカバー３及びスイッチレバー５１を下から見た部分底面図である（スイッチオフ時)。
【図７】図５のテールカバー３及びスイッチレバー５１を下から見た部分底面図である（スイッチオン時、その１)。
【図８】図５のテールカバー３及びスイッチレバー５１を下から見た部分底面図である（スイッチオン時、その２)。
【図９】本発明の第３の実施例に係るディスクグラインダ６１の全体構成を示す断面図である。
【図１０】図９のスイッチレバー７１を下側から見た部分底面図であり、一部のその断面図を示す。
【図１１】本発明の第４の実施例に係るディスクグラインダ８１の全体構成を示す断面図である。
【図１２】図１１のスイッチレバー９１を下側から見た部分底面図である。
【図１３】従来例のディスクグラインダ１０１の全体構成を示す断面図である。
【図１４】従来例のディスクグラインダ１０１のスイッチ部の構成を示す部分断面図であり、スイッチレバー１２１を握った状態を示す図である。
【発明を実施するための形態】
【実施例１】
【００３１】
以下、本発明の実施例を図面に基づいて説明する。なお、以下の図において、同一の部分には同一の符号を付し、繰り返しの説明は省略する。また、本明細書においては、前後、上下の方向は図中に示す方向であるとして説明する。
【００３２】
図１は、本発明の実施例に係るディスクグラインダ１の全体構成を示す断面図である。ディスクグラインダ１のハウジングは、モータ６を内部に収容する円筒形のモータハウジング２と、モータハウジング２の後方に取り付けられるテールカバー３と、モータハウジング２の前方に取り付けられるギヤカバー４、の３つの主要部分により構成される。ギヤカバー４は、モータ６の回転軸６ａによる動力伝達方向を約９０度変換する２組の傘歯車８、９を含んで構成される動力伝達機構を収容する。ギヤカバー４はモータハウジング２に、例えば前から後ろ方向に挿入される複数のねじ（図示せず）により取り付けられる。ギヤカバー４内に設けられるスピンドル１０の先端には砥石５が取り付けられ、ギヤカバー４に収納された２つの傘歯車８、９によってモータ６の回転が所定の比率で減速されて、砥石５が回転する。
【００３３】
砥石５は、ナット１２によってスピンドル１０に対して着脱可能である。砥石５は、例えば直径１００ｍｍのレジノイドフレキシブルトイシ、フレキシブルトイシ、レジノイドトイシ、サンディングディスク等であり、用いる砥粒の種類の選択により金属、合成樹脂、大理石、コンクリートなどの表面研磨、曲面研磨が可能である。砥石５の回転速度は、例えば最大４３００ｒｐｍであるが、回転速度は作業対象に合わせて適宜設定すればよい。ホイルガード１１は、研削された部材や破損した砥粒等の飛散から作業者を保護するためのものである。
【００３４】
モータ６は、本実施例では交流で動作するユニバーサルモータを用いているが、これに限られずに直流モータや、ブラシレスＤＣモータ等の他の方式のモータを用いても良い。モータ６は、ポリカーボネイド等の高分子樹脂の一体成型により製造されたモータハウジング２内に収まるように配置される。モータハウジング２の形状は円筒形又は長筒状であると強度的に強くできる。
【００３５】
モータ６の回転軸６ａは、ギヤカバー４に固定されるベアリング１４ａと、モータハウジング２に固定されるベアリング（図示せず）により回転可能に保持される。回転軸６ａのモータ６の前方側には冷却ファン７が設けられる。冷却ファン７は例えばプラスチック製の遠心ファンである。モータ６の回転と同期して冷却ファン７が回転することにより、テールカバー３の側面に設けられた吸気口（図示せず）から外気を吸引して、モータ６を通過させる空気流を発生させ、ギヤカバー４に設けられた排気口（図示せず）から前方に空気を排出する。
【００３６】
テールカバー３は、右側テールカバーと左側テールカバーにより分割構成され、複数のねじ３０（１本のみ図示）によってこれらが結合される。右側のテールカバー３には、ねじ穴を有する複数のネジボス３１が形成され、ねじ３０を左側のテールカバー３に形成されるネジ穴にねじ締めすることにより、テールカバーの右側及び左側がモータハウジング２に固定される。テールカバー３の外部には、モータ６に電力を供給するための電源コード１７が接続される。テールカバー３の内部には、モータ６を回転させるためのブラシ保持部１３と、スイッチ１５が収容される。ブラシ保持部１３は、モータハウジング２に固定される。スイッチ１５は、電源コード１７からモータ６への電力供給をオン／オフするためのもので、本実施例では揺動式のレバー１６を有するトグルスイッチを用いる。トグルスイッチはレバーの操作後にそのままの状態を保持できるスイッチであり、スナップスイッチと呼ばれることもある。トグルスイッチは、プランジャを押圧しているときだけオンとなる押しボタンスイッチと違って比較的安価であるので、製造コストを低減させることができる。
【００３７】
スイッチ１５の操作用のレバー１６は、スイッチ１５から後方に延びるように配置され、本実施例ではレバー１６を上側に操作するとスイッチ１５がオンになり、レバー１６を下側に操作するとスイッチ１５がオフになる。図１の状態はレバー１６が下側にあり、スイッチ１５がオフの状態である。レバー１６の先端付近には上下方向に移動する押棒２５が配置され、押棒２５に形成された穴部２５ａの内部にレバー１６が配置される。このような位置関係とすることによって、押棒２５が上側に移動するとレバー１６は上側に揺動されてスイッチ１５がオンとなり、押棒２５が下側に移動するとレバー１６は下側に揺動されてスイッチ１５がオフとなる。テールカバー３の内部に設けられたリブと押棒２５との間には付勢手段たるバネ２６が設けられ、バネ２６によって押棒２５は下側に移動するように常に付勢される。
【００３８】
モータハウジング２とテールカバー３の下側には、押棒２５を移動させるためのスイッチレバー２１が設けられる。スイッチレバー２１は、ハウジング部分（２、３）とほぼ平行に延びる細長い棒状の部材であり、先端部２１ａ（前側）がモータハウジング２とリップ部２ａの間に配置され、後方側が押棒２５の下側と係合する。スイッチレバー２１の先端部２１ａには先端の向いている方向（前方）とは直角方向（上方向）に突出するヒンジ状の部分が形成される。一方、この突出する部分と対向するモータハウジング２の部分には、反対方向（下方向）に突出する部分が形成され、モータハウジング２の外周側にリップ部２ａが設けられており、突出する部分とリップ部２ａとの間に、スイッチレバー２１を位置づけてスイッチレバー２１が離脱しないように保持される。スイッチレバー２１の後端側には、押棒２５と良好に接触するために曲面状に形成された係合部２１ｃが形成される。係合部２１ｃの後端側には、返し部２１ｄが形成され、返し部２１ｄはネジボス３１の上面に当接することによりスイッチレバー２１がハウジング部分（２、３）から離脱しないように保持される。
【００３９】
スイッチレバー２１は、先端側を支点として矢印３１の方向、及びその反対方向に揺動する。しかし、揺動といってもその揺動角は５度程度であり、スイッチレバー２１はハウジング部分（２、３）の底面に対して略鉛直方向に移動するものである。スイッチレバー２１の前後方向中央付近にはオフロックレバー２３が設けられる。オフロックレバー２３は、スイッチ１５がオフの状態を安定して保ち、操作ミスによって安易にスイッチ１５がオンにならないようにスイッチレバー２１の移動を制限するものである。オフロックレバー２３は、スイッチレバー２１に設けられた穴部２１ｂを前後方向に移動可能に取り付けられる。このオフロックレバー２３は、前方にスライドさせた状態でないとスイッチレバー２１が矢印３１の方向に移動できないように制限する。このため、オフロックレバー２３には上側に突出部２３ａが設けられ、テールカバー３の対面する部分にはリブ３ａが設けられる。作業者がスイッチレバー２１を触っていない状態では、オフロックレバー２３はバネ２４の作用により常に後方に位置しており（初期位置、第１の位置）、この際には突出部２３ａがリブ３ａに乗り上げているため、スイッチレバー２１を矢印３１の方向に移動させることはできない。
【００４０】
作業者はスイッチレバー２１を握る場合は、まずオフロックレバー２３を前方に移動させ（ロック解除位置、第２の位置）、移動させた状態を保ったままスイッチレバー２１を握って矢印３１の方向にスイッチレバー２１を移動させる。スイッチレバー２１を握った状態では、スイッチレバー２１は前端部を中心に反時計回りにわずかながら揺動し、スイッチレバー２１がテールカバー３の下面に形成されたリブ３ａに接する。テールカバー３の下面であってリブ３ａの前方側には、窪み部２９が形成されているため、突出部２３ａが窪み部２９に収容されることによりスイッチレバー２１を握ることができる。このように、スイッチレバー２１は、先端部２１ａを中心として、モータハウジング２に対して揺動（回動）可能である。
【００４１】
このスイッチレバー２１を握った状態を示すのが図２である。図２において、スイッチレバー２１が作業者によって握られると上方に移動する。スイッチレバー２１が上方に移動すると押棒２５は、バネ２６を圧縮しながら矢印３２のように上側に移動し、押棒２５に形成された穴部２５ａも同様に上側に移動するため、レバー１６は上側に揺動され、スイッチ１５がオン状態となる。
【００４２】
尚、本実施例ではオフロックレバー２３を前方に移動させると、スイッチレバー２１に開けられた穴２１ｅが開放される。このスイッチレバー２１を下側から見た部分底面図が図３及び図４である。図３はオフロックレバー２３がロック位置、即ち後方側に位置する場合を示す、このときにはオフロックレバー２３がスイッチレバー２１に形成された穴をふさぐために、スイッチレバー２１の内外に空気の流れは生じない。図４は、オフロックレバー２３が前方側に位置する場合（スイッチレバー２１を移動させることができる状態）を示す。図から理解できるように、オフロックレバー２３が前方側に位置すると穴２１ｅが開口し、スイッチレバー２１の内外が連通する。この結果、図２に示すように、穴２１ｅを介して矢印３３で示すような空気流が発生する。
【００４３】
図２において、矢印３３のようにしてハウジング部（２、３）内に流入した空気は、モータ６の内部を流れ、冷却ファン７によって吸引されてギヤカバー４に設けられた空気排出口（図示せず）から矢印３４の方向に排出される。尚、テールカバー３には、図示していない複数の空気吸気口が形成されるが、スイッチレバー２１に開けられた穴２１ｅから流入する空気流は、既存の空気吸気口から流入する空気流（図示せず）に追加されるものである。このようにスイッチレバー２１に穴２１ｅを設けたことによりモータ６の冷却が特に必要なモータ稼働時の空気吸気口を拡大させることができる。
【００４４】
本実施例に係るディスクグラインダ１には、スイッチ１５をオンの状態で維持するためのオンロックレバー２７が設けられる。オンロックレバー２７は、押棒２５が矢印３２の方向に移動してスイッチ１５がオン状態の際に、矢印３５の方向に押し込むことによって、爪部２７ａがスイッチレバー２１の返し部２１ｄの下側に位置して、押棒２５の元の位置への復帰を阻害するものである。尚、図２に示す状態は、オンロックレバー２７を矢印３５の方向に押し込む途中の状態を示し、爪部２７ａと返し部２１ｄは係合していない。以上のように、ディスクグラインダ１は、オンロックレバー２７を有するので、研磨作業中においても、作業者はスイッチレバー２１を強く握っている必要が無い。ロック状態としたオンロックレバー２７を解除するには、スイッチレバー２１を強く握りながら再度オンロックレバー２７を矢印３５の方向に押すことにより、爪部２７ａと返し部２１ｄの係合が外れ、スプリング２８によってオンロックレバー２７は元の位置に復帰する。
【００４５】
モータ６の回転を停止させるためには、オンロックレバー２７によるロック機構が解除された状態でスイッチレバー２１を離すことにより、バネ２６の反発力で押棒２５は元の位置に復帰し、これによってスイッチレバー２１も図１の位置に復帰する。この際、オフロックレバー２３の突出部２３ａとリブ３ａの接触状態が解除されるので、バネ２４の反発力によりオフロックレバー２３は図１に示す元の位置に復帰する。
【００４６】
以上、本実施例によればモータのオンオフを行うスイッチとして揺動式レバーを有する安価なスナップスイッチで構成したので電動工具のコストダウンを図ることができる。また、スナップスイッチの揺動式レバーが完全にハウジングの内部に収容されるので、塵埃の影響を受けにくく、スイッチの長寿命化を図ることができる。さらに、スイッチ機構はテールカバーの下面（表面）に対して略鉛直方向に移動可能な前後方向に長いスイッチレバーを用いて構成したので、使いやすいスイッチ機構を実現できる。
【実施例２】
【００４７】
次に図５から７を用いて本発明の第２の実施例について説明する。第２の実施例において、スイッチレバー５１の形状は、オンロックレバー部を除いてスイッチレバー２１の形状とほぼ同じである。スイッチレバー５１は、先端側５１ａを支点として図５の状態から上方向に移動可能である。本実施例において、スイッチレバー５１にはオフロックレバーが設けられないが、オフロック機構を実現するためにハウジング部（２、３）に面する側に丸棒状の突起５１ｂが設けられる。また、突起５１ｂの移動を制限するために、水平面内で所定角度だけ回転するオフロックダイヤル５２が設けられる。オフロックダイヤル５２は回転軸５３を中心に回動可能である。また、オフロックダイヤル５２を初期位置（回転角０度）に戻すために、捩りバネ形式のスプリング５４がモータハウジング２とオフロックダイヤル５２の間に設けられる。スイッチレバー５１の後端側には押棒２５の下側と係合する係合部５１ｃが形成される。その他の構成要素である押棒２５、バネ２６、オンロックレバー２７、スプリング２８は、第１の実施例に示す例と同一部品であるので、繰り返しの説明は省略する。
【００４８】
図６はテールカバー３及びスイッチレバー５１を下から見た部分底面図である。テールカバー４３には回転軸５３を中心に、±３０度程度の回転が可能なオフロックダイヤル５２が内蔵され、テールカバー４３の左右両側の２箇所にスリット４３ｂが形成され、スリット４３ｂからオフロックダイヤル５２の一部が外部に露出する。この露出した部分は、左右両側の２箇所に形成され、作業者はオフロックダイヤル５２を所定角度だけ回転させることができる。オフロックダイヤル５２の突起５１ｂと対応する部分には、２つの切り欠き部５２ａと、この間に形成されるストッパ面５２ｂが形成される。ストッパ面５２ｂは、突起５１ｂの先端と当接することによりスイッチレバー５１の上方向の移動を阻止する。図６は、突起５１ｂがストッパ面５２ｂに当接している状態（回転角±０度の初期状態）を示し、この状態ではスイッチレバー５１をスイッチ１５がオンになる方向に動かすことはできない。オフロックダイヤル５２には、初期位置に戻すために、捩りバネ形式のスプリング５４がモータハウジング２とオフロックダイヤル５２の間に設けられる。スプリング５４の一方を固定するためにモータハウジング２側から２つの留めボス５６が設けられる。さらに、スプリング５４の他方を固定するためにオフロックダイヤル５２には２つの留めボス５７が設けられる。
【００４９】
図７はテールカバー３及びスイッチレバー５１を下から見た部分底面図であり、オフロックダイヤル５２を図６の状態から矢印の方向に約３０度（＋３０度）回した状態を示す。オフロックダイヤル５２を回転させることにより、突起５１ｂは切り欠き部５２ａに対向することになり、この結果、スイッチレバー５１の上方への移動が可能となり、スイッチ１５がオンにすることができる。この際、スプリング５４は２つの取り付け部の間隔が広がる方向になるので、スイッチレバー５１を開放した際にはスプリング５４によって、オフロックダイヤル５２は元の位置（図６に示した初期位置）に戻るので、使い勝手の良いオンロック機構を実現できる。
【００５０】
図８は、テールカバー３及びスイッチレバー５１を下から見た部分底面図であり、オフロックダイヤル５２を図６の状態から矢印の方向に約３０度（−３０度）回した状態を示す。オフロックダイヤル５２を回転させることにより、突起５１ｂは切り欠き部５２ａに対向することになり、この結果、スイッチレバー５１の上方への移動が可能となり、スイッチ１５がオンにすることができる。この際、スプリング５４は２つの取り付け部の間隔が狭まる方向になるので、スイッチレバー５１を開放した際にはスプリング５４によって、オフロックダイヤル５２は元の位置（図６に示した初期位置）に戻る。
【００５１】
以上説明したように第２の実施例によるオフロック機構では、オフロックダイヤル５２を回さないとスイッチレバー５１を握ることができないので、安全性を向上した電動工具を実現することができる。尚、本実施例では回転させたオフロックダイヤル５２が元の位置に復帰するように付勢手段（スプリング５４）を設けたが、付勢手段を設けないでオフロックダイヤル５２を作業者が回転させて元の位置（図６に示す状態）に復帰するように構成しても良い。
【実施例３】
【００５２】
次に図９及び図１０を用いて本発明の第３の実施例について説明する。第３の実施例において、スイッチレバー７１の形状は、前後方向中央よりやや後方に形成された穴部７１ｂの形状と、オフロックレバー７３の形状を除いて第１の実施例によるスイッチレバー２１と同様である。ここでオフロックレバー７３の移動方向は、押棒２５の移動方向と垂直方向であって、スイッチレバー７１の長手方向（前後方向）とは垂直な方向となる。図１０はスイッチレバー７１を下側から見た部分底面図である。スイッチレバー７１は、穴部７１ｂにおいて左右方向の中央付近に初期位置を有する。スイッチレバー７１にはスイッチレバー７１の移動方向を示す矢印７５が刻印される。スイッチレバー２１を移動させるには、まずオフロックレバー７３を矢印７５のいずれかの方向（右又は左方向）に移動させながらスイッチレバー２１を握るようにする。図示していないが、オフロックレバー７３が矢印７５のいずれかの方向に移動すると、オフロックレバー７３の突出部とリブ６３ａの当接状態が解除され、スイッチレバー７１を上方向に移動させることができる。
【００５３】
第３の実施例によれば、第３の実施例によるオンロック機構では、オフロックレバー７３の移動方向が第１の実施例と違うものの、スイッチレバー５１の移動方向と異なるので、安全性を向上した電動工具を実現することができる。
【実施例４】
【００５４】
次に図１１及び図１２を用いて本発明の第４の実施例について説明する。第４の実施例において、図１〜４で示した第１の実施例と同じ構成部品については同一の参照符号を付している。本実施例において、第１の実施例と異なる点はオフロックレバー９３の形状である。第１の実施例のオフロックレバー２３は、スイッチレバー２１とほぼ垂直方向である下方に大きく突出する突出部２３ｂが形成されている。これは、作業者が把持する指を使ってオフロックレバー２３を前方に移動する際の掛止がし易いためである。しかしながらこのようなスイッチレバー２１から下方への大きな出っ張りが好まれない場合もある。そこで本実施例では図１１に示すような形状のオフロックレバー２３とすることにより、下方への出っ張り量を小さくした。このように出っ張り量を小さくするとオフロックレバー２３の操作がしにくくなるので、その対策としてエラストマやゴムなどの柔軟性素材でオフロックレバー２３を形成した。本実施例ではスイッチレバー２１から下方への突出量を、例えば５ｍｍ以下にした。
【００５５】
図１２は、本実施例におけるテールカバー３及びスイッチレバー２１を下から見た部分底面図である。オフロックレバー９３の形状は、出っ張り部分を除いて基本的に第１の実施例のオフロックレバー２３の形状と似ているものであるが、オフロックレバー９３がスイッチレバー２１からあまり突出せず、かつ柔軟素材である。スイッチレバー２１の一部として構成される係合部２１ｃが下方へと突出しているが、この係合部２１ｃと先端部２１ａを結んだ直線９８（図１１参照）よりも出っ張らない位置に、オフロックレバー９３が配置される。従って、見た目がスマートであり、握り感覚のよい電動工具を実現できる。また、オフロックレバー９３の係合部２１ｃと先端部２１ａを結んだ直線よりも下方に出っ張らない位置に、オフロックレバー９３が配置されているので、オフロックレバー９３が不意に移動させてしまう恐れを大幅に低減できる。
【００５６】
以上、本発明を実施例に基づいて説明したが、本発明は上述の実施例に限定されるものではなく、その趣旨を逸脱しない範囲内で種々の変更が可能である。例えば、上述の実施例では電動工具の例としてディスクグラインダを用いて説明したが、これだけに限られずに、ハウジングの胴体部分又はハンドル部分を握ってモータを動作させる任意の電動工具においても実現できる。また、スイッチレバーの移動方向は、平行移動するタイプであっても、揺動又は回動するタイプであっても良い。
【符号の説明】
【００５７】
１  ディスクグラインダ      ２  モータハウジング      ２ａ  リップ部
３  テールカバー      ３ａ  リブ      ４  ギヤカバー      ５  砥石
６  モータ      ６ａ  回転軸      ７  冷却ファン      ８、９  傘歯車
１０  スピンドル    １１  ホイルガード    １２  ナット    １３  ブラシ保持部
１４ａ  ベアリング    １５  スイッチ    １６  レバー    １７  電源コード
２０ａ  ２０ｂ  穴    ２１  スイッチレバー    ２１ａ  先端部
２１ｂ  穴部      ２１ｃ  係合部    ２１ｄ  返し部      ２１ｅ  穴
２３  オフロックレバー      ２３ａ  突出部      ２３ｂ  突出部
２４  バネ      ２５  押棒    ２５ａ  穴部    ２６  バネ
２７  オンロックレバー    ２７ａ  爪部    ２８  スプリング    ２９  窪み部
３０  ネジ      ３１  ネジボス
５１  スイッチレバー      ５１ａ  先端側      ５１ｂ  突起  
５１ｃ  係合部      ５２  オフロックダイヤル      ５２ａ  切り欠き部
５２ｂ  ストッパ突起      ５３  中心軸      ５４  スプリング
５６、５７  スプリング留めボス      
６１  ディスクグラインダ      ６３ａ  リブ
７１  スイッチレバー      ７１ｂ  穴部      ７３  オフロックレバー
８１  ディスクグラインダ      ９１  スイッチレバー
９３  オフロックレバー
１０１  ディスクグラインダ      １０２  モータハウジング
１０３  テールカバー      １０４  ギヤカバー      １０５  砥石
１０６  モータ      １０６ａ  回転軸      １０７  冷却ファン
１０８、１０９  傘歯車      １１０  スピンドル      １１５  スイッチ
１１５ａ  プランジャ      １１７  電源コード      １２１  スイッチレバー
１２１ａ  押棒部      １２３  オフロックレバー      １２３ａ  突出部
１２４  バネ      １２５  回動軸        １２６  バネ      １３３  リブ
【図１】
0005510887.tif 000002
【図２】
0005510887.tif 000003
【図３】
0005510887.tif 000004
【図４】
0005510887.tif 000005
【図５】
0005510887.tif 000006
【図６】
0005510887.tif 000007
【図７】
0005510887.tif 000008
【図８】
0005510887.tif 000009
【図９】
0005510887.tif 000010
【図１０】
0005510887.tif 000011
【図１１】
0005510887.tif 000012
【図１２】
0005510887.tif 000013
【図１３】
0005510887.tif 000014
【図１４】
0005510887.tif 000015